(57)【特許請求の範囲】
【請求項１】
印画部が内蔵された筐体を備えた画像形成装置において、
前記筐体の底面部に一体的に設けられ、４つの挿入部を有するゴム板取付部と、
前記ゴム板取付部の４つの挿入部にそれぞれ挿入される４つの角部を有する矩形形状に形成されたゴム板とをさらに備え、
前記ゴム板取付部は、複数の前記挿入部が周りに配置され、下方に突出する凸部を含み、
前記凸部の頂点と、前記筐体の底面部の下面との間の垂直方向の長さは、前記ゴム板の厚みよりも小さく、
前記ゴム板取付部は、前記挿入部に対応する位置に、挿入された前記ゴム板を押さえるための押さえ部を有し、
前記挿入部は、前記凸部と前記押さえ部との間に位置し、前記挿入部の幅は、前記ゴム板の厚みより大きい、画像形成装置。
【請求項２】
筐体の底面部に一体的に設けられ、複数の挿入部を有するゴム板取付部と、
前記ゴム板取付部の複数の挿入部に挿入される複数の角部を有するゴム板とを備え、
前記ゴム板取付部は、複数の前記挿入部が周りに配置され、下方に突出する凸部を含み、
前記凸部の頂点と、前記筐体の前記底面部の下面との間の垂直方向の長さは、前記ゴム板の厚みよりも小さい、ゴム脚構造。
【請求項３】
前記ゴム板取付部は、前記挿入部に対応する位置に、挿入された前記ゴム板を押さえるための押さえ部を有する、請求項２に記載のゴム脚構造。
【請求項４】
前記ゴム板取付部は、複数の前記挿入部が周りに配置され、下方に突出する凸部を含み、
前記挿入部は、前記凸部と前記押さえ部との間に位置し、前記挿入部の幅は、前記ゴム板の厚みより大きい、請求項３に記載のゴム脚構造。
【請求項５】
前記ゴム板は、４つの前記角部を有する矩形形状に形成されており、
前記ゴム板取付部は、前記ゴム板の４つの角部がそれぞれ挿入される４つの前記挿入部を有する、請求項２〜４のいずれか１項に記載のゴム脚構造。
【発明の詳細な説明】
【技術分野】
【０００１】
この発明は、ゴム脚構造および画像形成装置に関する。
【背景技術】
【０００２】
従来、熱転写プリンタなどの画像形成装置において、筐体の底面に設けられる横滑り防止などのためのゴム脚構造が知られている（たとえば、特許文献１、２、３および４参照）。
【０００３】
上記特許文献１に記載のゴム脚取付構造（ゴム脚構造）では、上筐体にＬ字形のリブが設けられるとともに、下筐体には、ゴム脚が挿入される挿入孔が設けられ、かつ、ゴム脚は、下筐体の挿入孔に挿入される挿入部を有するとともに、そのゴム脚の挿入部は、上筐体のリブの先端と係合する係合孔を有する。そして、ゴム脚を下筐体に取り付けた状態で、上筐体と、下筐体とを組み立てると、上筐体のリブの先端がゴム脚の挿入部の係合孔と係合されて、ゴム脚は固定される。
【０００４】
また、上記特許文献２に記載のゴム脚取付構造（ゴム脚構造）では、円柱状の中空部分を有するゴム脚部材を非取付部材（筐体）の取付位置である孔部に装着した状態でゴム脚部材の中空部分に、ゴム脚部材と薄肉部を介して連結された挿入部材を挿入することにより、ゴム脚部材を内側から押圧することによって、ゴム脚部材が非取付部材に固定される。
【０００５】
また、上記特許文献３に記載のゴム脚取付構造（ゴム脚構造）では、筐体に取り付けられるゴム脚部材は、上端の対向する両側方に張り出し、中央部には、筐体に設けた爪と係合する引掛け孔を有する羽形状部を一体的に有する。また、筐体は、ゴム脚部材の羽形状部を挿入するための挿入孔とゴム脚部材と係合し、ゴム脚部材を固定するための爪とを有する。この特許文献３では、ゴム脚部材の羽形状部を筐体の挿入孔に挿入した後に羽形状部を曲げることにより、ゴム脚部材の羽形状部の引掛け孔と筐体の爪とが係合することによって、ゴム脚部材が筐体に固定される。
【０００６】
また、上記特許文献４に記載のゴム脚取付構造（ゴム脚構造）では、ゴム脚部材は、折り曲げ可能であるとともに、筐体にゴム脚部材を取り付けるための取付板を有する。筐体は、ゴム脚部材の取付板が挿入される挿入部と、ゴム脚部材の取付板を固定するために挿入部に設けられた爪部とを有する。この特許文献４では、ゴム脚部材を折り曲げた状態で筐体の挿入部に挿入した後、伸ばすことによりゴム脚部材が筐体に装着され、それと同時に取付板が爪部と係合し、ゴム脚部材が固定される。
【０００７】
また、従来、ゴム脚構造の一例として、ゴム板が筐体の底面に取り付けられたゴム脚構造が知られている。図３９は、従来の一例によるゴム脚構造を備えた熱転写プリンタの全体構成を示した斜視図である。図４０は、図３９に示した従来の一例によるゴム脚構造を備えた熱転写プリンタのゴム板の取付方法を説明するための斜視図である。図３９および図４０を参照して従来の一例によるゴム脚構造を備えた熱転写プリンタのゴム板の構造および取付方法について説明する。
【０００８】
従来の一例によるゴム脚構造を備えた熱転写プリンタは、図３９および図４０に示すように、印画部（図示せず）を内蔵する筐体１０１と筐体１０１の側面に設けられたインクシートカートリッジ（図示せず）を挿入するための挿入孔１０１ａと、画像を印画するための用紙（図示せず）を収納する給紙トレイ１０２と、筐体１０１の底面部１０１ｂに取り付けられたゴム板１０３と、ゴム板１０３を取り付けるための両面テープ１０４（図４０参照）とを有する。すなわち、ゴム板１０３は、図４０に示すように、筐体１０１の底面部１０１ｂに両面テープ１０４により貼り付けられていた。
【０００９】
【特許文献１】特開２００２−９４５４号公報
【特許文献２】特開２０００−２９４９３９号公報
【特許文献３】特開平８−２６６３５２号公報
【特許文献４】実開昭６２−１５７１８８号公報
【発明の開示】
【発明が解決しようとする課題】
【００１０】
しかしながら、図３９および図４０に示した従来の一例によるゴム脚構造を備えた熱転写プリンタでは、筐体１０１にゴム板１０３を取り付けるために両面テープ１０４を使用していたため、部品点数が増加するという問題点があった。
【００１１】
また、特許文献１に記載のゴム脚取付構造（ゴム脚構造）では、ゴム脚に係合孔が設ける必要があるため、ゴム脚の構造が複雑になるという問題点がある。また、このようなゴム脚に係合孔を設ける構造は、平板状のゴム板を取り付ける構造に適用するのは困難である。
【００１２】
また、特許文献２に記載のゴム脚取付構造（ゴム脚構造）では、ゴム脚部材に薄肉部を介して連結される挿入部材を設ける必要があるため、ゴム脚部材の構造が複雑になるという問題点がある。
【００１３】
また、特許文献３に記載のゴム脚取付構造（ゴム脚構造）では、ゴム脚（フット）に２つの羽形状部および２つの位置決め用突起を設ける必要があるため、ゴム脚の構造が複雑になるという問題点がある。
【００１４】
また、特許文献４に記載のゴム脚取付構造（ゴム脚構造）では、ゴム脚部材の取り付けに取付板を使用するため、部品点数が増加するという問題点がある。
【００１５】
この発明は、上記のような課題を解決するためになされたものであり、この発明の１つの目的は、部品点数の増加を抑制し、かつ、ゴム板の構造を複雑化させることのないゴム脚構造および画像形成装置を提供することである。    
【課題を解決するための手段および発明の効果】
【００１６】
この発明の第１の局面による画像形成装置は、印画部が内蔵された筐体を備えた画像形成装置において、筐体の底面部に一体的に設けられ、４つの挿入部を有するゴム板取付部と、ゴム板取付部の４つの挿入部にそれぞれ挿入される４つの角部を有する矩形形状に形成されたゴム板とをさらに備え、ゴム板取付部は、複数の挿入部が周りに配置され、下方に突出する凸部を含み、凸部の頂点と、筐体の底面部の下面との間の垂直方向の長さは、ゴム板の厚みよりも小さく、ゴム板取付部は、挿入部に対応する位置に、挿入されたゴム板を押さえるための押さえ部を有し、挿入部は、凸部と押さえ部との間に位置し、挿入部の幅は、ゴム板の厚みより大きい。
【００１７】
この第１の局面による画像形成装置では、上記のように、筐体の底面部に、４つの挿入部を有するゴム板取付部を一体的に設けるとともに、そのゴム板取付部の４つの挿入部に挿入される４つの角部を有するゴム板を設けることによって、ゴム板の４つの角部をゴム板取付部の４つの挿入部に挿入するだけで、ゴム板を別部品を使用せずに直接筐体のゴム板取付部に取り付けることができる。これにより、部品点数が増加するのを抑制することができる。また、ゴム板の角部をゴム板取付部の挿入部に挿入するだけで、ゴム板を筐体のゴム板取付部に取り付けることができるので、ゴム板に特別な構造を付加する必要がない。これにより、ゴム板の構造が複雑化することもない。また、ゴム板取付部に、下方に突出する凸部を設けるとともに、凸部の頂点と筐体の底面部の下面との間の垂直方向の長さを、ゴム板の厚みよりも小さくすることによって、凸部表面にゴム板を取り付けたときに、ゴム板を筐体の底面部の下面から下方に突出させることができる。また、ゴム板取付部の挿入部に対応する位置に、挿入されたゴム板を押さえるための押さえ部を設けることによって、押さえ部により、ゴム板の角部が挿入される方向に押さえられるので、挿入されたゴム板の角部が挿入部から外れにくくすることができる。また、挿入部の幅を、ゴム板の厚みより大きく形成することによって、容易にゴム板の角部を挿入部に挿入することができる。また、ゴム板を、４つの角部を有する矩形形状に形成するとともに、ゴム板取付部を、ゴム板の４つの角部がそれぞれ挿入される４つの挿入部を有するように形成することによって、ゴム板は、４方向で固定されるため、ゴム板がゴム板取付部から外れにくくすることができる。
【００１８】
この発明の第２の局面によるゴム脚構造は、筐体の底面部に一体的に設けられ、複数の挿入部を有するゴム板取付部と、ゴム板取付部の複数の挿入部に挿入される複数の角部を有するゴム板とを備え、ゴム板取付部は、複数の挿入部が周りに配置され、下方に突出する凸部を含み、凸部の頂点と、筐体の底面部の下面との間の垂直方向の長さは、ゴム板の厚みよりも小さい。
【００１９】
この第２の局面によるゴム脚構造では、上記のように、筐体の底面部に、複数の挿入部を有するゴム板取付部を一体的に設けるとともに、そのゴム板取付部の複数の挿入部に挿入される複数の角部を有するゴム板を設けることによって、ゴム板の複数の角部をゴム板取付部の複数の挿入部に挿入するだけで、ゴム板を別部品を使用せずに直接筐体のゴム板取付部に取り付けることができる。これにより、部品点数が増加するのを抑制することができる。また、ゴム板の角部をゴム板取付部の挿入部に挿入するだけでゴム板を筐体のゴム板取付部に取り付けることができるので、ゴム板に特別な構造を付加する必要がない。これにより、ゴム板の構造が複雑化することもない。また、ゴム板取付部は、複数の挿入部が周りに配置され、下方に突出する凸部を含み、凸部の頂点と、筐体の底面部の下面との間の垂直方向の長さは、ゴム板の厚みよりも小さい。このように構成すれば、凸部表面にゴム板を取り付けたときに、ゴム板を筐体の底面部の下面から下方に突出させることができる。
【００２１】
上記第２の局面によるゴム脚構造において、好ましくは、ゴム板取付部は、挿入部に対応する位置に、挿入されたゴム板を押さえるための押さえ部を有する。このように構成すれば、押さえ部により、ゴム板の角部が挿入される方向に押さえられるので、挿入されたゴム板の角部が挿入部から外れにくくすることができる。
【００２２】
この場合、好ましくは、ゴム板取付部は、複数の挿入部が周りに配置され、下方に突出する凸部を含み、挿入部は、凸部と押さえ部との間に位置し、挿入部の幅は、ゴム板の厚みより大きい。このように構成すれば、容易にゴム板の角部を挿入部に挿入することができる。
【００２３】
上記第２の局面によるゴム脚構造において、好ましくは、ゴム板は、４つの角部を有する矩形形状に形成されており、ゴム板取付部は、ゴム板の４つの角部がそれぞれ挿入される４つの挿入部を有する。このように構成すれば、ゴム板は４方向で固定されるため、ゴム板がゴム板取付部から外れにくくすることができる。
【発明を実施するための最良の形態】
【００２４】
（第１実施形態）
以下、本発明の実施形態を図面に基づいて説明する。
【００２５】
図１は、本発明の第１実施形態によるゴム脚構造を備えた熱転写プリンタの全体構成を示す斜視図である。図２および図３は、それぞれ、本発明の第１実施形態によるゴム脚構造を備えた熱転写プリンタの全体構成を示す側面図および底面図である。図４は、本発明の第１実施形態によるゴム脚構造を備えた熱転写プリンタのゴム板取付部を示す拡大断面図である。図５〜図２０は、本発明の第１実施形態によるゴム脚構造を備えた熱転写プリンタのゴム板取付部およびゴム板の詳細を説明するための図である。まず、図１〜図２０を参照して、第１実施形態によるゴム脚構造を備えた熱転写プリンタの構造について説明する。なお、第１実施形態では、本発明のゴム脚構造が取り付けられる画像形成装置の一例として、熱転写プリンタについて説明する。
【００２６】
本発明の第１実施形態によるゴム脚構造を備えた熱転写プリンタは、図１〜図４に示すように、印画部４が内蔵される筐体１と、画像を印画するための用紙（図示せず）を収納する給紙トレイ２と、ゴム板３とを有する。
【００２７】
ここで、第１実施形態では、図１〜図４に示すように、筐体１は、インクシートカートリッジ（図示せず）を挿入するための挿入孔１ａと、底面部１ｂとを有する。筐体１の底面部１ｂは、図４に示すように、厚みｔ１（約３ｍｍ）を有する。また、底面部１ｂは、筐体１の内部側の上面１ｃと筐体１の外部側の下面１ｄとを有する。また、筐体１の底面部１ｂには、平板状のゴム板３が取り付けられるゴム板取付部１ｅが設けられている。ゴム板取付部１ｅは、図３に示すように、筐体１の底面部１ｂの４隅近傍に１つずつ筐体１と一体的に設けられている。その４つのゴム板取付部１ｅに、それぞれ１つずつ平板状のゴム板３が取り付けられている。
【００２８】
また、第１実施形態では、ゴム板取付部１ｅは、図５〜図１１に示すように、ゴム板３の４つの角部３ａがそれぞれ挿入されるスリット状の４つの挿入孔１ｆと、下方に突出する凸部１ｇと、ゴム板３を押さえるための厚みｔ２（約１ｍｍ）（図１１参照）を有する４つの押さえ部１ｈとを有する。また、図６および図９に示すように、スリット状の挿入孔１ｆは、凸部１ｇと押さえ部１ｈとの間に位置するとともに、幅Ｗ１（約０．８５ｍｍ）（図９参照）を有する。また、底面部１ｂの上面１ｃ側には、挿入孔１ｆに繋がる開口部１ｉを有する。なお、挿入孔１ｆは、本発明の「挿入部」の一例である。また、図７および図９に示すように、開口部１ｉの凸部１ｇ側の側面１ｊは、型抜きを容易にするために、平面的に見て、円孤状に形成されている。また、図７に示すように、ゴム板取付部１ｅは、長さＸ（約９ｍｍ）と長さＹ（約９ｍｍ）との積により算出される平面積を有する。また、図８に示すように、凸部１ｇの外周のうちゴム板３の角部３ａに対応する４ヶ所（図１６参照）には、挿入孔１ｆおよび押さえ部１ｈが配置されている。また、図９〜図１１に示すように、凸部１ｇの表面は球面状に形成されており、頂点１ｋを有する。また、図８に示すように、４つの押さえ部１ｈは、それぞれ、４つの挿入孔１ｆと対応する位置に設けられている。また、４つの押さえ部１ｈの縁部１ｌは、互いに連続するとともに、その連続した形状が、ゴム板取付部１ｅの型抜きを容易にするために、平面的に見て、円形状に形成されている。また、図１２に示すように、平板状のゴム板３は、４つの角部３ａを有する矩形形状（第１実施形態では正方形状）に形成されているとともに、厚みｔ３（約０．８ｍｍ）を有する。また、ゴム板３は、上記ゴム板取付部１ｅの平面積と同程度の平面積を有するので、ゴム板３を凸部１ｇの表面に沿って湾曲させつつ挿入孔１ｆにゴム板３の角部３ａを挿入することが可能である。
【００２９】
ここで、第１実施形態では、ゴム板３は、図４および図１３〜図２０に示すように、筐体１に一体的に設けられたゴム板取付部１ｅに取り付けられる。ゴム板取付部１ｅの凸部１ｇの頂点１ｋと筐体１の底面部１ｂの下面１ｄとの間の垂直方向の長さＬ１（約０．４ｍｍ）（図９参照）は、ゴム板３の厚みｔ３（約０．８ｍｍ）（図１２参照）よりも小さく形成されているため、図１８に示すように、ゴム板３の一部が底面部１ｂの下面１ｄよりｔ３−Ｌ１＝約０．４ｍｍだけ下方に突出している。また、挿入孔１ｆの幅Ｗ１（約０．８５ｍｍ）（図９参照）は、ゴム板３の厚みｔ３（約０．８ｍｍ）（図１２参照）よりも大きいため、容易に、ゴム板３の角部３ａは挿入孔１ｆに挿入される。また、図１８に示すように、ゴム板３は、押さえ部１ｈと接触していることにより、ゴム板３と押さえ部１ｈとの間に摩擦力が働くため、ゴム板３は固定されて挿入孔１ｆから外れにくくなっている。
【００３０】
ゴム板３の取付方法としては、筐体１の底面部１ｂの下面１ｄからゴム板３の４つの角部３ａを、それぞれ、ゴム板取付部１ｅの４つの挿入孔１ｆに差し込むことによって、ゴム板３は、ゴム板取付部１ｅに取り付けられる。
【００３１】
第１実施形態では、上記のように、筐体１の底面部１ｂに、複数の挿入孔１ｆを有するゴム板取付部１ｅを一体的に設けるとともに、そのゴム板取付部１ｅの４つの挿入孔１ｆに挿入される４つの角部３ａを有するゴム板３を設けることによって、ゴム板３の４つの角部３ａをゴム板取付部１ｅの４つの挿入孔１ｆに挿入するだけで、ゴム板３を別部品を使用せずに、直接筐体１のゴム板取付部１ｅに取り付けることができるので、部品点数が増加するのを抑制することができる。また、ゴム板３の角部３ａをゴム板取付部１ｅの挿入孔１ｆに挿入するだけでゴム板３を筐体１のゴム板取付部１ｅに取り付けることができるので、ゴム板３に特別な構造を付加する必要がない。これにより、ゴム板３の構造が複雑化することもない。
【００３２】
また、第１実施形態では、ゴム板取付部１ｅに、下方に突出する凸部１ｇを設けるとともに、凸部１ｇの頂点１ｋと筐体１の底面部１ｂの下面１ｄとの間の垂直方向の長さＬ１を、ゴム板３の厚みｔ３よりも小さくすることによって、凸部１ｇの表面にゴム板３を取り付けたときに、ゴム板３を筐体１の底面部１ｂの下面１ｄから下方に突出させることができる。
【００３３】
また、第１実施形態では、ゴム板取付部１ｅの挿入孔１ｆに対応する位置に、挿入されたゴム板３を押さえるための押さえ部１ｈを設けることによって、押さえ部１ｈにより、ゴム板３の角部３ａが挿入される方向に押さえられるので、挿入されたゴム板３が外れにくくすることができる。
【００３４】
また、第１実施形態では、挿入孔１ｆの幅Ｗ１を、ゴム板３の厚みｔ３より大きく形成することによって、容易にゴム板３の角部３ａを挿入孔１ｆに挿入することができる。
【００３５】
また、第１実施形態では、ゴム板３を、４つの角部３ａを有する正方形状に形成するとともに、ゴム板取付部１ｅを、ゴム板３の４つの角部３ａがそれぞれ挿入される４つの挿入孔１ｆを有するように形成することによって、ゴム板３は、４方向で固定されるため、ゴム板３がゴム板取付部１ｅから外れにくくすることができる。
【００３６】
（第２実施形態）
図２１〜図２６は、本発明の第２実施形態によるゴム脚構造を備えた熱転写プリンタのゴム板取付部の詳細を説明するための図である。図２７〜図３３は、本発明の第２実施形態によるゴム脚構造を備えた熱転写プリンタのゴム板取付部にゴム板を取り付けた場合の詳細を説明するための図である。図２１〜図３３を参照して、この第２実施形態では、上記第１実施形態と異なり、凸部１１ｇを平面的に見て十字形状にするとともに、挿入孔１１ｆの幅を大きくした例について説明する。なお、凸部１１ｇの形状以外の構造は、上記第１実施形態と同様である。
【００３７】
この第２実施形態によるゴム板取付部１１ｅは、図２１〜図３３に示すように、ゴム板３の角部３ａが挿入される貫通孔状の４つの挿入孔１１ｆと、下方に突出する凸部１１ｇと、ゴム板３を押さえるための４つの押さえ部１１ｈとを有する。なお、挿入孔１１ｆは、本発明の「挿入部」の一例である。また、押さえ部１１ｈは、縁部１１ｉを有する。
【００３８】
ここで、第２実施形態では、図２２に示すように、凸部１１ｇは、平面的に見て、十字形状となるように形成されている。また、図２１および図２３に示すように、上記第１実施形態に比べて、挿入孔１１ｆが広く形成されている。また、図２４に示すように、挿入孔１１ｆの幅Ｗ２は、第１実施形態の挿入孔１ｆの幅Ｗ１（図９参照）に比べて大きくなっているため、第１実施形態に比べてゴム板３を挿入し易い形状になっている。また、図２４に示すように、凸部１１ｇは、頂点１１ｋを有し、凸部１１ｇの頂点１１ｋと、筐体１の底面部１ｂの下面１ｄとの間の垂直方向の長さはＬ２である。
【００３９】
この第２実施形態では、平板状のゴム板３は、図２７〜図３３に示すようにゴム板取付部１１ｅに取り付けられる。上記凸部１１ｇの頂点１１ｋと、筐体１の底面部１ｂの下面１ｄとの間の垂直方向の長さＬ２（約０．４ｍｍ）は、ゴム板３の厚みｔ３（約０．８ｍｍ）よりも小さいので、図３１に示すように、ゴム板３の一部は底面部１ｂの下面１ｄよりｔ３−Ｌ２＝０．４ｍｍだけ下方に突出している。また、第１実施形態と同様に、ゴム板３は、押さえ部１１ｈに当接している。そのため、押さえ部１１ｈとゴム板３との間に摩擦力が働くので、ゴム板３は固定される。これにより、挿入孔１１ｆの幅Ｗ２が大きくなっていても、ゴム板３は、挿入孔１１ｆから外れにくくなっている。
【００４０】
第２実施形態では、上記のように、平面的に見て凸部１１ｇを十字形状になるように形成することによって、挿入孔１１ｆの幅Ｗ２（図２４参照）を大きくすることができるので、ゴム板３を容易に取り付けることができる。
【００４１】
（第３実施形態）
図３４〜図３７は、本発明の第３実施形態によるゴム脚構造を備えた熱転写プリンタのゴム板取付部の詳細を説明するための図である。図３８は、本発明の第３実施形態によるゴム脚構造を備えた熱転写プリンタのゴム板取付部にゴム板を取り付けた場合を示す断面図である。図３４〜図３８を参照して、この第３実施形態では、上記第１実施形態と異なり、押さえ部２１ｈの縁部２１ｌと開口部２１ｉの凸部２１ｇ側の側面２１ｊとを平面的に見て直線状に形成した例について説明する。
【００４２】
第３実施形態では、図３４〜図３８に示すように、ゴム板取付部２１ｅは、挿入孔２１ｆと、凸部２１ｇと、押さえ部２１ｈと、挿入孔２１ｆの上面１ｃ側の開口部２１ｉとを有する。なお、挿入孔２１ｆは、本発明の「挿入部」の一例である。また、開口部２１ｉは、凸部２１ｇ側の側面２１ｊを有し、押さえ部２１ｈは、縁部２１ｌを有する。
【００４３】
ここで、第３実施形態では、図３４および図３５に示すように、開口部２１ｉの側面２１ｊおよび押さえ部２１ｈの縁部２１ｌは、平面的に見て、直線状である。このため、凸部２１ｇは、平面的に見て、８角形の形状を有する。また、図３６に示すように、凸部２１ｇは、頂点２１ｋを有し、頂点２１ｋと筐体１の底面部１ｂの下面１ｄとの垂直方向の長さはＬ３（約０．４ｍｍ）である。上記長さＬ３（約０．４ｍｍ）はゴム板３の厚みｔ３（約０．８ｍｍ）よりも小さいので、図３８に示すように、ゴム板３の一部がｔ３−Ｌ３＝０．４ｍｍだけ底面部１ｂの下面１ｄより下方に突出している。このようにゴム板取付部２１ｅを形成しても、上記第１実施形態と同様の効果を得ることができる。
【００４４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４５】
たとえば、上記実施形態では、熱転写プリンタに本発明を適用する例を示したが、本発明はこれに限らず、筐体を備えた物品であれば適用可能である。
【００４６】
また、上記実施形態では、ゴム板取付部に、挿入孔が周りに配置されるように凸部を設けた例を示したが、本発明はこれに限らず、凸部を設けずに平坦面形状にしてもよい。
【００４７】
また、上記実施形態では、本発明の挿入部の一例として、筐体底面部を貫通する挿入孔を設けた例を示したが、本発明はこれに限らず、筐体底面部を貫通しない凹形状の挿入部を設けてもよい。
【図面の簡単な説明】
【００４８】
【図１】本発明の第１実施形態によるゴム脚構造を備えた熱転写プリンタの全体構成を示す斜視図である。
【図２】図１に対応する側面図である。
【図３】図２の底面図である。
【図４】図２の５０−５０線に沿った断面図である。
【図５】本発明の第１実施形態によるゴム脚構造を備えた熱転写プリンタのゴム板取付部を上面側から見た斜視図である。
【図６】本発明の第１実施形態によるゴム脚構造を備えた熱転写プリンタのゴム板取付部を下面側から見た斜視図である。
【図７】図５に対応する平面図である。
【図８】図６に対応する平面図である。
【図９】図７の１００−１００線に沿った断面図である。
【図１０】図７の１５０−１５０線に沿った断面図である。
【図１１】図７の２００−２００線に沿った断面図である。
【図１２】本発明の第１実施形態によるゴム脚構造を備えた熱転写プリンタのゴム板を示す斜視図である。
【図１３】本発明の第１実施形態によるゴム脚構造を備えた熱転写プリンタのゴム板取付部にゴム板を取り付けた状態を上面側から見た斜視図である。
【図１４】本発明の第１実施形態によるゴム脚構造を備えた熱転写プリンタのゴム板取付部にゴム板を取り付けた状態を下面側から見た斜視図である。
【図１５】図１３に対応する平面図である。
【図１６】図１４に対応する平面図である。
【図１７】図１３に対応する側面図である。
【図１８】図１５の２５０−２５０線に沿った断面図である。
【図１９】図１５の３００−３００線に沿った断面図である。
【図２０】図１５の３５０−３５０線に沿った断面図である。
【図２１】本発明の第２実施形態によるゴム脚構造を備えた熱転写プリンタのゴム板取付部を上面側から見た斜視図である。
【図２２】本発明の第２実施形態によるゴム脚構造を備えた熱転写プリンタのゴム板取付部を下面側から見た斜視図である。
【図２３】図２２に対応する平面図である。
【図２４】図２３の４００−４００線に沿った断面図である。
【図２５】図２３の４５０−４５０線に沿った断面図である。
【図２６】図２３の５００−５００線に沿った断面図である。
【図２７】本発明の第２実施形態によるゴム脚構造を備えた熱転写プリンタのゴム板取付部にゴム板を取り付けた状態を上面側から見た斜視図である。
【図２８】本発明の第２実施形態によるゴム脚構造を備えた熱転写プリンタのゴム板取付部にゴム板を取り付けた状態を上面側から見た斜視図である。
【図２９】図２７に対応する平面図である。
【図３０】図２８に対応する平面図である。
【図３１】図２９の５５０−５５０線に沿った断面図である。
【図３２】図２９の６００−６００線に沿った断面図である。
【図３３】図２９の６５０−６５０線に沿った断面図である。
【図３４】本発明の第３実施形態によるゴム脚構造のゴム板取付部を上面側から見た平面図である。
【図３５】本発明の第３実施形態によるゴム脚構造のゴム板取付部を下面側から見た平面図である。
【図３６】図３４の７００−７００線に沿った断面図である。
【図３７】図３４の７５０−７５０線に沿った断面図である。
【図３８】本発明の第３実施形態によるゴム脚構造のゴム板取付部にゴム板を取り付けた状態を示す断面図である。
【図３９】従来の一例におけるゴム脚構造を備えた熱転写プリンタの全体構成を示す斜視図である。
【図４０】従来の一例におけるゴム脚構造を備えた熱転写プリンタのゴム脚の取り付け方法を示す斜視図である。
【符号の説明】
【００４９】
１      筐体
１ｂ    底面部
１ｄ    下面
１ｅ    ゴム板取付部
１ｆ    挿入孔（挿入部）
１ｇ    凸部
１ｈ    押さえ部
１ｋ    頂点
３      ゴム板
３ａ    角部  
４      印画部  
【図１】
0004645440.tif 000002
【図２】
0004645440.tif 000003
【図３】
0004645440.tif 000004
【図４】
0004645440.tif 000005
【図５】
0004645440.tif 000006
【図６】
0004645440.tif 000007
【図７】
0004645440.tif 000008
【図８】
0004645440.tif 000009
【図９】
0004645440.tif 000010
【図１０】
0004645440.tif 000011
【図１１】
0004645440.tif 000012
【図１２】
0004645440.tif 000013
【図１３】
0004645440.tif 000014
【図１４】
0004645440.tif 000015
【図１５】
0004645440.tif 000016
【図１６】
0004645440.tif 000017
【図１７】
0004645440.tif 000018
【図１８】
0004645440.tif 000019
【図１９】
0004645440.tif 000020
【図２０】
0004645440.tif 000021
【図２１】
0004645440.tif 000022
【図２２】
0004645440.tif 000023
【図２３】
0004645440.tif 000024
【図２４】
0004645440.tif 000025
【図２５】
0004645440.tif 000026
【図２６】
0004645440.tif 000027
【図２７】
0004645440.tif 000028
【図２８】
0004645440.tif 000029
【図２９】
0004645440.tif 000030
【図３０】
0004645440.tif 000031
【図３１】
0004645440.tif 000032
【図３２】
0004645440.tif 000033
【図３３】
0004645440.tif 000034
【図３４】
0004645440.tif 000035
【図３５】
0004645440.tif 000036
【図３６】
0004645440.tif 000037
【図３７】
0004645440.tif 000038
【図３８】
0004645440.tif 000039
【図３９】
0004645440.tif 000040
【図４０】
0004645440.tif 000041